(57)【要約】【課題】希望する場面を瞬時に再生する。【解決手段】各場面を時系列状に包含するコンテンツを録画する手段、コンテンツを再生する手段、コンテンツを視聴したユーザにより作成されたコンテンツの各場面に関連するコメントを各場面と対応付けて記憶する手段、作成されたコメントにコンテンツの種類及び場面に関する情報を含むメタデータを付加する手段、ネットワークとの間でメタデータを送受信する手段、送受信するメタデータを格納する手段、録画コンテンツが再生されると、格納されたメタデータに基づいて、コンテンツの各場面に関連するコメントをコンテンツの各場面と対応付けて一覧表示する手段、一覧表示されたコメントの中から任意のコメントが選択されると、任意のコメントに付加されたメタデータに基づいて、任意のコメントに対応付けられたコンテンツの所定の場面を検索して再生する手段、を含む。【選択図】図３
2013150221.tif 000002
【特許請求の範囲】
【請求項１】
公衆によって利用可能なネットワークに接続された情報処理装置であって、
各場面を時系列状に包含するコンテンツを録画する録画手段と、
前記録画されたコンテンツを再生する再生手段と、
前記コンテンツを視聴したユーザにより作成された前記コンテンツの各場面に関連するコメントを前記各場面と対応付けて記憶する記憶手段と、
前記作成されたコメントに、前記コンテンツの種類及び前記コンテンツの場面に関する情報を含むメタデータを付加するメタデータ付加手段と、
前記ネットワークとの間で前記メタデータを送受信する送受信手段と、
前記送受信するメタデータを格納する格納手段と、
前記録画されたコンテンツが前記再生手段により再生されると、前記格納手段に格納されたメタデータに基づいて、前記コンテンツの各場面に関連するコメントを前記コンテンツの各場面と対応付けて一覧表示する表示手段と、
前記一覧表示されたコメントの中から任意のコメントが選択されると、前記任意のコメントに付加されたメタデータに基づいて、前記任意のコメントに対応付けられたコンテンツの所定の場面を、前記記憶手段から検索して再生する検索再生手段と、
を含むことを特徴とする情報処理装置。
【請求項２】
公衆によって利用可能なネットワークに接続された情報処理装置の処理方法であって、
録画手段が、各場面を時系列状に包含するコンテンツを録画する工程と、
再生手段が、前記録画する工程により録画されたコンテンツを再生する工程と、
記憶手段が、前記コンテンツを視聴したユーザにより作成された前記コンテンツの各場面に関連するコメントを前記各場面と対応付けて記憶する工程と、
メタデータ付加手段が、前記作成されたコメントに、前記コンテンツの種類及び前記コンテンツの場面に関する情報を含むメタデータを付加する工程と、
送受信手段が、前記ネットワークとの間で前記メタデータを送受信する工程と、
格納手段が、前記送受信する工程により送受信されるメタデータを格納する工程と、
前記録画されたコンテンツが前記再生する工程により再生されると、表示手段が、前記格納する工程により格納されたメタデータに基づいて、前記コンテンツの各場面に関連するコメントを前記コンテンツの各場面と対応付けて一覧表示する工程と、
前記一覧表示されたコメントの中から任意のコメントが選択されると、検索再生手段が、前記任意のコメントに付加されたメタデータに基づいて、前記任意のコメントに対応付けられたコンテンツの所定の場面を、前記記憶手段から検索して再生する工程と、
を含むことを特徴とする情報処理方法。
【請求項３】
公衆によって利用可能なネットワークに接続された情報処理装置に実行させるコンピュータにより読み取り可能なプログラムであって、
録画手段が、各場面を時系列状に包含するコンテンツを録画する処理と、
再生手段が、前記録画する処理により録画されたコンテンツを再生する処理と、
記憶手段が、前記コンテンツを視聴したユーザにより作成された前記コンテンツの各場面に関連するコメントを前記各場面と対応付けて記憶する処理と、
メタデータ付加手段が、前記作成されたコメントに、前記コンテンツの種類及び前記コンテンツの場面に関する情報を含むメタデータを付加する処理と、
送受信手段が、前記ネットワークとの間で前記メタデータを送受信する処理と、
格納手段が、前記送受信する処理により送受信されるメタデータを格納する処理と、
前記録画されたコンテンツが前記再生する処理により再生されると、表示手段が、前記格納する処理により格納されたメタデータに基づいて、前記コンテンツの各場面に関連するコメントを前記コンテンツの各場面と対応付けて一覧表示する処理と、
前記一覧表示されたコメントの中から任意のコメントが選択されると、検索再生手段が、前記任意のコメントに付加されたメタデータに基づいて、前記任意のコメントに対応付けられたコンテンツの所定の場面を、前記記憶手段から検索して再生する処理と、
を含むことを特徴とするプログラム。
【発明の詳細な説明】
【技術分野】
【０００１】
本発明は、情報処理システム、情報処理方法、及びプログラムに関する。
【背景技術】
【０００２】
インターネット上のサーバに不特定多数の利用者が投稿した動画を、不特定多数の利用者で共有し、視聴出来るサービスとして、YouTube、GyaO!（Yahoo!動画）、ニコニコ動画等に代表される動画共有サービス（動画投稿サイト）が知られている。
【０００３】
また、個々のユーザが「ツイート」（Tweet）と称される短文を投稿し、閲覧できるコミュニケーション・サービスとして、公衆が利用可能なコミュニティサイトであるTwitter（ツイッター：登録商標）の利用者も爆発的に増加している。
【０００４】
ここで、従来の動画（映像）視聴システムについて、図７を参照して説明する。図７は、従来の映像視聴システムの構成を示す概略図である。図７において、映像視聴システム９０は、インターネット等のネットワーク網９０４を介して映像再生端末９０３と、映像再生端末９０３に配信する映像を格納し、映像を映像再生端末９０３に配信する映像配信サーバ９０１と、当該配信される映像に関連する情報を格納する映像関連情報サーバ９０２とが接続されている。
【０００５】
そして、映像配信サーバ９０１から受信された映像を映像再生端末９０３で視聴する際に、映像関連情報サーバ９０２に蓄えられている当該映像に関する他人の感想やコメントといった映像関連情報を当該映像と同時に参照することにより、他人のコメント等の情報を含む映像の意味内容を把握しながら映像を短時間で再生することにより、映像内容の確認をすることが可能となっている。
【先行技術文献】
【特許文献】
【０００６】
【特許文献１】特許第３７４７８８４号公報
【発明の概要】
【発明が解決しようとする課題】
【０００７】
しかしながら、従来の動画（映像）視聴システムでは、映像配信サーバ９０１に対するアクセス許可がなされているユーザによって視聴される映像に関するコメントしか得ることができないので、映像に関する情報量に乏しく偏りがあり、場合によっては当該映像に関する知りたい情報をほとんど得ることが出来ず、この動画（映像）視聴システムでは、自らが視聴を希望する映像の特定の場面に関する情報を他人のコメントに基づいて取得し、当該映像の内容を短時間に確認するためには不十分であるという課題があった。
【０００８】
さらに、特許文献１に記載されたコンテンツ記録再生装置では、ビデオコンテンツデータベースに蓄積されたコンテンツを再生する際、掲示板に気に入ったコメントが見つかった場合には、再生位置をコメントの箇所までジャンプすることが記載されているが、コンテンツを蓄積するためのデータベース、及びコメントを表示するための掲示板をコンテンツ再生装置とは別途設ける必要があるため、システム構成が複雑になると共に、そのための設備コストが高くついてしまうという課題もある。
【０００９】
そこで本発明は、上記従来の問題点に鑑みてなされたもので、録画コンテンツの再生において、公共のネットワーク網を用いて幅広く一般の人々の当該コンテンツに対する情報を得ることにより、ユーザが希望するコンテンツの特定の場面に関する情報を瞬時に検索することができる情報処理システム、情報処理方法、及びプログラムを提供することを目的とする。
【課題を解決するための手段】
【００１０】
上記課題を解決するため、請求項１に記載の本発明における情報処理装置は、公衆によって利用可能なネットワークに接続された情報処理装置であって、各場面を時系列状に包含するコンテンツを録画する録画手段と、前記録画されたコンテンツを再生する再生手段と、前記コンテンツを視聴したユーザにより作成された前記コンテンツの各場面に関連するコメントを前記各場面と対応付けて記憶する記憶手段と、前記作成されたコメントに、前記コンテンツの種類及び前記コンテンツの場面に関する情報を含むメタデータを付加するメタデータ付加手段と、前記ネットワークとの間で前記メタデータを送受信する送受信手段と、前記送受信するメタデータを格納する格納手段と、前記録画されたコンテンツが前記再生手段により再生されると、前記格納手段に格納されたメタデータに基づいて、前記コンテンツの各場面に関連するコメントを前記コンテンツの各場面と対応付けて一覧表示する表示手段と、前記一覧表示されたコメントの中から任意のコメントが選択されると、前記任意のコメントに付加されたメタデータに基づいて、前記任意のコメントに対応付けられたコンテンツの所定の場面を、前記記憶手段から検索して再生する検索再生手段と、を含むことを特徴とする。
【００１１】
また、上記課題を解決するため、請求項２に記載の本発明における処理方法は、公衆によって利用可能なネットワークに接続された情報処理装置の処理方法であって、録画手段が、各場面を時系列状に包含するコンテンツを録画する工程と、再生手段が、前記録画する工程により録画されたコンテンツを再生する工程と、記憶手段が、前記コンテンツを視聴したユーザにより作成された前記コンテンツの各場面に関連するコメントを前記各場面と対応付けて記憶する工程と、メタデータ付加手段が、前記作成されたコメントに、前記コンテンツの種類及び前記コンテンツの場面に関する情報を含むメタデータを付加する工程と、送受信手段が、前記ネットワークとの間で前記メタデータを送受信する工程と、格納手段が、前記送受信する工程により送受信されるメタデータを格納する工程と、前記録画されたコンテンツが前記再生する工程により再生されると、表示手段が、前記格納する工程により格納されたメタデータに基づいて、前記コンテンツの各場面に関連するコメントを前記コンテンツの各場面と対応付けて一覧表示する工程と、前記一覧表示されたコメントの中から任意のコメントが選択されると、検索再生手段が、前記任意のコメントに付加されたメタデータに基づいて、前記任意のコメントに対応付けられたコンテンツの所定の場面を、前記記憶手段から検索して再生する工程と、を含むことを特徴とする。
【００１２】
さらに、上記課題を解決するため、請求項３に記載の本発明におけるプログラムは、公衆によって利用可能なネットワークに接続された情報処理装置に実行させるコンピュータにより読み取り可能なプログラムであって、録画手段が、各場面を時系列状に包含するコンテンツを録画する処理と、再生手段が、前記録画する処理により録画されたコンテンツを再生する処理と、記憶手段が、前記コンテンツを視聴したユーザにより作成された前記コンテンツの各場面に関連するコメントを前記各場面と対応付けて記憶する処理と、メタデータ付加手段が、前記作成されたコメントに、前記コンテンツの種類及び前記コンテンツの場面に関する情報を含むメタデータを付加する処理と、送受信手段が、前記ネットワークとの間で前記メタデータを送受信する処理と、格納手段が、前記送受信する処理により送受信されるメタデータを格納する処理と、前記録画されたコンテンツが前記再生する処理により再生されると、表示手段が、前記格納する処理により格納されたメタデータに基づいて、前記コンテンツの各場面に関連するコメントを前記コンテンツの各場面と対応付けて一覧表示する処理と、前記一覧表示されたコメントの中から任意のコメントが選択されると、検索再生手段が、前記任意のコメントに付加されたメタデータに基づいて、前記任意のコメントに対応付けられたコンテンツの所定の場面を、前記記憶手段から検索して再生する処理と、を含むことを特徴とする。
【発明の効果】
【００１３】
本発明によれば、録画されたコンテンツ等の映像を再生する際に、当該映像の特定の場面に関連するコメントを検索することにより、目的とする特定の場面について瞬時に頭出し再生を行うことができる情報処理システム、情報処理方法、及びプログラムを得ることができる。
【図面の簡単な説明】
【００１４】
【図１】本発明の実施形態における情報処理システムの構成を示す概略図である。
【図２】本発明の実施形態における情報処理装置の構成を示す概略ブロック図である。
【図３】本発明の実施形態における情報処理装置において、コメントに基づいてコンテンツ（テレビ番組）の特定箇所を検索する状態を示す概念図である。
【図４】本発明の実施形態における情報処理装置においてライブで放送されているコンテンツ（テレビ番組）及びコメントを表示するときの動作を示すフロー図である。
【図５】本発明の実施形態における情報処理装置においてコメントに基づいてコンテンツ（テレビ番組）の特定箇所を検索するときの動作を示すフロー図である。
【図６】本発明の実施形態における情報処理システムにおいて用いられるメタデータ及びコメントの概要を説明するための概念図である。
【図７】従来の映像視聴システムの構成を示す概略図である。
【発明を実施するための形態】
【００１５】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、コンテンツをライブで視聴したユーザによってコンテンツの内容に関してリアルタイムで付加されたコメントを、当該コンテンツの各場面と対応付けて記録しておき、この記録されたコンテンツを視聴するユーザが当該コンテンツ中の特定の場面の視聴を希望するとき、当該リアルタイムで付加されたコメントの中から当該特定の場面に関連するコメントを選択することにより、当該コメントに対応付けられたコンテンツの特定の場面が瞬時に頭出し再生され、早送りや巻戻しといった操作を省くことが可能となるのである。
【００１６】
図１は、本発明の実施形態における情報処理システムの構成を示す概略図である。図１を参照すると、本発明の実施形態における情報処理システム１０は、パーソナルコンピュータ（ＰＣ）等の情報処理装置２００が、一般公衆が広く利用可能なネットワークであるTwitter（ツイッター：登録商標）に代表される公衆ネットワーク網３００と、動画コンテンツ等が格納されているサーバ４００とインターネット等のネットワーク網５００を介して接続されている。なお、公衆ネットワーク網３００に代えて、所謂ストレージサーバや自社サーバのようなものを用いても良い。
【００１７】
また、情報処理装置２００は、サーバ４００に格納されている動画コンテンツ等を、ネットワーク網５００を介してダウンロードすることができる。さらに、情報処理装置２００では、図示しないテレビ局等の送信所から送信される放送電波を受信して、テレビ番組等を視聴することも出来る。
【００１８】
次に、図２を参照して、本発明に実施形態における情報処理装置（パーソナルコンピュータ（ＰＣ））２００の構成について説明する。図２は、本発明の実施形態における情報処理装置の構成を示す概略ブロック図である。
【００１９】
図２において、本発明の実施形態における情報処理装置２００は、図示しないテレビ局からの放送電波を受信するテレビ受信部１６２と、サーバ４００（図１）から動画データ等、各場面を時系列状に含んでいるコンテンツを取得するためのコンテンツ取得Ｉ／Ｆ（Inter/Face）部１６４及びコンテンツ取得部１６３と、受信したテレビ番組の放送日時に関する情報や、取得したコンテンツ情報の取得日時に関する情報を得るためのカレンダー部１６５と、テレビ番組やコンテンツ情報の受信開始からの経過時間、又は後述する録画されたテレビ番組の再生開始からの経過時間を算出する経過時間算出部１６７と、受信され又は録画されたテレビ番組やコンテンツの種類及びコンテンツの場面に関する情報（コンテンツのチャプター情報、具体的には、放送局名（チャンネル番号）、番組名又はコンテンツ名と、当該コンテンツに関連するカレンダー情報（ｙｙ年ｍｍ月ｄｄ日ｈｈ時ｍｍ分）、経過時間（視聴開始から○○時間△△分経過）等）、及び当該テレビ番組やコンテンツ情報と共に入力された様々なコメントを併せて記憶するコンテンツ記憶部１５９と、当該受信したテレビ番組やコンテンツ情報、並びにこれらと共に入力されたコメントを録画、再生、及びＬＣＤ（Liquid Crystal Display）等の表示部に表示するためのコンテンツ録画部１６０、コンテンツ再生部１５８、及びコンテンツ表示部１６６と、を具備している。
【００２０】
また、記憶されたテレビ番組等のコンテンツ情報や再生されたテレビ番組等のコンテンツ情報に対して、自分の近況や感じたこと等をコメントとして投稿したり、他のユーザに対して話しかけたりするためのコメントを投稿するためのコメント入力部１５５を含むキーボード、タッチパネル等の入力部１５４と、他のユーザのコメントや自分が投稿したコメントを、コンテンツ情報の表示と並行して表示するコメント表示部１６１と、自分が入力したコメントが、何年何月何日の何時何分に放送された何処の放送局のテレビ番組であるかといったコメントの属性を示す情報タグを含むメタデータを、投稿するコメントに付加したり、他人が入力したコメントからメタデータを抽出することにより、何年何月何日の何時何分に放送された何処の放送局のテレビ番組であるかといった情報を得るメタデータ付加／抽出１５６と、メタデータ付加／抽出部１５６によりメタデータが付加されたコメントを公衆ネットワーク網３００（図１）に送信したり、他のユーザのコメントを公衆ネットワーク網３００から受信するための公衆ネットワークＩ／Ｆ部１５７と、を具備している。
【００２１】
また、情報処理装置２００内のコンテンツ記憶部１５９は、コンテンツ情報と他のユーザのコメントとを対応付けて同時に格納することや、情報処理装置２００において、録画されたコンテンツが再生される時点において、公衆ネットワークＩ／Ｆ部１５７を介して受信される他のユーザのコメントを新規に取得して格納することも行っている。そして、上記各ブロックから構成される情報処理部１５３の全体動作は、記憶部１５２に格納されている制御プログラムをロードすることにより、図示しないＣＰＵ（Central Processing Unit）を内蔵する制御部１５１によって制御されている。
【００２２】
次に、本発明の実施形態における情報処理装置（パーソナルコンピュータ（ＰＣ））２００の動作イメージについて説明する。図３は、本発明の実施形態における情報処理装置において、コメントに基づいてコンテンツ（テレビ番組）の特定箇所を検索する状態を示す概念図である。
【００２３】
図３において、情報処理装置（パーソナルコンピュータ（ＰＣ））２００のコンテンツ録画部１６０（図２）において録画されたｙｙ年ｍｍ月ｄｄ日のｈｈ時ｍｍ分の○○テレビで放送された番組がコンテンツ再生部１５８（図２）によって再生されることにより、録画番組がコンテンツ表示部２０１に表示される。
【００２４】
そして、コンテンツ記憶部１５９（図２）に記憶された、その番組をライブで視聴したユーザによって入力された、番組の各場面に応じた自分の近況、ユーザのコメント、番組の感想等のコメントの中から、再生動画の所定の場面に関連するコメントが、当該所定の場面に対応してコメント表示部２０３に一覧表示される。
【００２５】
録画番組を視聴しているユーザは、その録画番組の中から自分が見たい場面（例えば、録画番組が歌番組であれば、自分が好きなアーチストが登場するシーン、野球中継であれば、応援しているチームが得点するシーン、サッカー中継であれば、ゴールの瞬間等）に対応するコメントを、当該コメント表示部２０３に一覧表示されたコメントの中から追跡コメント表示欄２０５を入力部１５４（図２）を用いてクリックすることにより、情報処理装置２００の制御部１５１が、クリックされたコメントに関連する録画番組の場面を、視聴開始から○○時間△△分経過後の再生位置として追跡し、当該追跡された特定の場面がコンテンツ表示部２０１に瞬時に表示されるのである。
【００２６】
具体的には、録画番組を視聴していたユーザは、現時点ではコンテンツ表示部２０１の下部に表示される当該番組の経過時間を示すバーのうち、“Ａ”の場面を視聴していたが、追跡コメント表示欄２０５をクリックすることにより、当該特定の場面に対応する経過時間である“Ｂ”の場面にジャンプして、この“Ｂ”の場面を再生するのである。
【００２７】
なお、追跡コメント表示欄２０５をクリックした後、当該特定の場面に対応する再生位置を特定するためには、クリックされたコメントに付加されたメタデータの中の情報タグを検索することが行われるが、このメタデータ、及び情報タグについては後述する。
【００２８】
次に、本発明の実施形態における情報処理装置（パーソナルコンピュータ（ＰＣ））の動作について説明する。図４は、本発明の実施形態における情報処理装置においてライブで放送されているコンテンツ（テレビ番組）及びコメントを表示するときの動作を示すフロー図である。
【００２９】
図４において、まず、情報処理装置（パーソナルコンピュータ（ＰＣ））１００のコンテンツ取得部１６３（図２）又はテレビ受信部１６２（図２）において、コンテンツ（テレビ番組）が受信されコンテンツ表示部１００１に映像が再生される（ステップ（以下「Ｓ」という。）４００）。そして、カレンダー部１６５により、コンテンツ（テレビ番組）の放送日時、チャンネル番号情報等が取得される（Ｓ４０１）。具体的には、Ｓ５０１の処理では、再生している動画から情報処理を行うためにに必要な情報（例えば、チャンネル番号）が取得される。
【００３０】
次に、Ｓ４０２において、コンテンツ表示部１００１に表示されるコンテンツ（テレビ番組）の放送時刻、チャンネル番号（テレビ局名）、年月日、コンテンツ名（番組名）等の情報タグがメタデータとして付加されたコメントの有無が検索される。
【００３１】
Ｓ４０３において、Ｓ４０２での検索に基づいて、表示されるコンテンツ（テレビ番組）の放送時刻、受信チャンネル（テレビ局名）、年月日、コンテンツ名（番組名）等の情報タグがメタデータとして付加されたコメントが存在するか否かが判断される。具体的には、コメントを検索／取得する処理として、ウェブサイト（例えば、Twitter（ツイッター：登録商標））より、付加されたメタデータの中のチャンネル番号情報が、Ｓ４０１の処理で得た情報と一致し、かつ投稿時刻情報が現在時刻に近い（例えば、３０分以内等）コメントが検索され、該当するコメントが取得される。
【００３２】
Ｓ４０３において検索されたコメントで、まだコメント表示部１００３に表示されていないコメントが存在する（Ｓ４０３：ＹＥＳ）と判断されたときにはＳ４０４へ移行し、当該コメントが受信され、コメント表示部１００３に表示される。
【００３３】
一方、当該コメントが存在しない（Ｓ４０３：ＮＯ）と判断されたときは、Ｓ４０５へ移行し、Ｓ４０５では、コンテンツ（テレビ番組）の受信が終了したか否かが判断される。Ｓ４０５において、コンテンツ（テレビ番組）の受信が終了していない（Ｓ４０５：ＮＯ）と判断されたときには、Ｓ５０２へ移行し、再び、メタデータが付加されたコメントの有無が検索され、コンテンツ（テレビ番組）の受信が終了した（Ｓ４０５：ＹＥＳ）と判断されたときには、処理が終了する。
【００３４】
ここで、コメント、及びコメントに付加されるメタデータについて図６を用いて説明する。図６は、本発明の実施形態における情報処理システムにおいて用いられるメタデータ及びコメントの概要を説明するための概念図である。
【００３５】
図６において、コメントとは、ライブ又は録画映像を視聴したユーザが、当該映像の所定の場面に反応して投稿する感想や他のユーザのコメントに対して投稿するものである。また、このコメントには、図６に示すように当該コメントに関連する情報であるメタデータが付加される。
【００３６】
メタデータは、コメントに付加されているコメント以外の総称である。例えば、ネットワーク上の電子掲示板においてコメントに標準的に付加されている情報（コメント投稿時刻、コメント投稿者名、コメントの宛先等）が該当する。
【００３７】
加えて、本発明においては、コメント中に所定の記述方法を用いて付加された情報もメタデータとして扱う。例えば、簡易投稿サイトであるTwitter（ツイッター（登録商標））において、記号“＃”と任意の文字列の組み合わせで表現されるハッシュタグが挙げられる。ハッシュタグを用いることで電子掲示板の標準的なメタデータ情報以外の情報を付加することができる。例えば、当該コメントに関連するコンテンツの情報、具体的には、放送局名（チャンネル番号）、番組名又はコンテンツ名と、当該コンテンツに関連するカレンダー情報（ｙｙ年ｍｍ月ｄｄ日ｈｈ時ｍｍ分）等といったコンテンツの種類及びコンテンツの場面に関する情報を含めることができる。よって、投稿されたコメントに、メタデータが付加されていれば、当該メタデータの中の情報を識別することにより、当該コメントが如何なるコンテンツの如何なる場面に関連するものであるかを認識することが出来る。
【００３８】
次に、本発明の実施形態における情報処理装置（パーソナルコンピュータ（ＰＣ））の動作について説明する。図５は、本発明の実施形態における情報処理装置においてコメントに基づいてコンテンツ（テレビ番組）の特定箇所を検索するときの動作を示すフロー図である。
【００３９】
図５において、まず、情報処理装置（パーソナルコンピュータ（ＰＣ））２００のコンテンツ記憶部１５９に格納されたメタデータに基づいて、録画済又は録画中コンテンツ（テレビ番組）の録画日時、テレビ番組のチャンネル番号等のチャプター情報が取得される（Ｓ５００）。具体的には、再生する動画の特定処理として、再生する録画コンテンツ（録画テレビ番組）を特定するための情報（例えば、録画開始日時、録画番組の長さ、チャンネル番号）が取得される。
【００４０】
次に、Ｓ５０１において、制御部１５１の図示しないＣＰＵにより、コンテンツ記憶部１５９の中から、録画済又は録画中コンテンツ（テレビ番組）の全場面に対応するメタデータ（放送時刻、受信チャンネル（テレビ局名）、録画年月日、コンテンツ名（番組名）等のチャプター情報）が付加された全てのコメントが検索される。
【００４１】
なお、この処理において、再生されているコンテンツの場面と同期している必要はない。すなわち、本発明は、検索対象となる特定の場面（シーン）へ遷移することを目的としているので、もし、仮に、再生しているコンテンツの場面と同期させてコメントを表示させているとすれば、現在再生されている場面付近にしか遷移することができないからである。
【００４２】
そして、Ｓ５０２において、Ｓ５０１において検索されたコメントが取得され、全てコメント表示部２０３に一覧表示される。もし、仮に、全てのコメントが表示しきれない場合には、例えば、スクロールバーがコメント表示部２０３に現れ、これをスクロールすれば全てのコメントを閲覧することができる。
【００４３】
そして、Ｓ５０３において、コメント表示部２０３においてクリックされた関連コメントのメタデータ情報が参照され、その情報に基づいて録画済又は録画中コンテンツの場面（シーン）が検索され、そこから再生が開始される。具体的には、コメント投稿時刻と一致するコンテンツ放送時刻が検索される。
【００４４】
なお、コンテンツ放送時刻の算出方は、具体的には、特定のウェブサイト（例えば、Twitter（ツイッター：登録商標））より、メタデータが、Ｓ５００の処理で得たチャンネル番号と一致し、かつメタデータのコメント投稿時刻情報がＳ５００の処理で得た録画開始日時以降から録画開始日時に録画コンテンツの長さを加算した時刻までの間であるコメントが検索され、未取得のものがあれば、取得される（テレビ番組録画中に、予めハードディスクドライブ等のローカルストレージに一括して取得され保存されていても良い）。
【００４５】
また、メタデータのコメント投稿時刻情報がＳ５００の処理で得た録画開始日以降から録画開始日時に録画コンテンツの長さを加算した時刻までの間ではないコメントであっても、録画コンテンツの場面を特定する目的でコンテンツ放送時刻情報が別途付加されている場合、コンテンツ放送時刻情報をコメント投稿時刻情報と見做して取得し以降の処理をしても良い。また、録画番組視聴中に投稿されるコメントは、コンテンツ放送時刻情報が付加されて投稿されるようにしても良い。これにより、ライブ放送当時に投稿されたコメントと録画コンテンツ視聴中に新たに投稿されたコメントが同じように処理される。
【００４６】
なお、図４及び図５に示した本発明の実施形態に係る情報処理装置の各動作フローは、コンピュータ上のプログラムに実行させることもできる。すなわち、図２の制御部１５１に内蔵される図示しないＣＰＵが、ＲＯＭ（Read Only Memory）、ＲＡＭ（Random Access Memory）等から構成される記憶部１５２に格納されたプログラムをロードし、プログラムの処理ステップが順次実行されることによって行われる。
【００４７】
このように、本発明によれば、コンテンツをライブで視聴したユーザによってコンテンツの内容に関してリアルタイムで付加されたコメントを、当該コンテンツの各場面と対応付けて記録しておき、この記録されたコンテンツを視聴するユーザが当該コンテンツ中の特定の場面の視聴を希望するとき、当該リアルタイムで付加されたコメントの中から当該特定の場面に関連するコメントを選択することにより、当該コメントに対応付けられたコンテンツの特定の場面が瞬時に頭出し再生され、早送りや巻戻しといった操作を省くことができるのである。
【００４８】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００４９】
１０    情報処理システム
１５１    制御部
１５２    記憶部
１５３    情報処理部
１５４    入力部
１５５、２０２    コメント入力部
１５６    メタデータ付加／抽出部
１５７    公衆ネットワークＩ／Ｆ部
１５８    コンテンツ再生部
１５９    コンテンツ記憶部
１６０    コンテンツ録画部
１６１、２０３    コメント表示部
１６２    テレビ受信部
１６３    コンテンツ取得部
１６４    コンテンツ取得Ｉ／Ｆ部
１６５    カレンダー部
１６６、２０１    コンテンツ表示部
１６７    経過時間算出部
２００    情報処理装置（パーソナルコンピュータ（ＰＣ））
２０４    コメント送信ボタン
２０５    追跡コメント表示欄
２０６    再生箇所の頭出し
３００    公衆ネットワーク網
４００    サーバ
５００    ネットワーク網
【図１】
2013150221.tif 000003
【図２】
2013150221.tif 000004
【図３】
2013150221.tif 000005
【図４】
2013150221.tif 000006
【図５】
2013150221.tif 000007
【図６】
2013150221.tif 000008
【図７】
2013150221.tif 000009